(57)【要約】プロフィル部品（４）を支持レール（５）に固定する簡単で安価に構成し得る装置（１）および装置（２）を提供するために、プロフィル部品（４）に結合し得る第１固定手段（６）と支持レール（５）に結合し得る第２固定手段（７）とを有するアダプタ状の独立の結合要素（３）が設けられる。
2005534161.tif 000002
【特許請求の範囲】
【請求項１】
プロフィル部品（４）を支持レール（５）に固定するために、
プロフィル部品（４）に結合し得る第１固定手段（６）と支持レール（５）に結合し得る第２固定手段（７）とを有するアダプタ状の独立の結合要素（３）を備えている、
プロフィル部品を支持レールに固定する機構。
【請求項２】
第１固定手段（６）が結合要素（３）の第１側（８）に取付けられ、第２固定手段（７）が結合要素（３）の第１側とは反対の第２側（９）に取付けられている請求項１記載の機構。
【請求項３】
固定手段（６，７）が、支持レール（５）またはプロフィル部品（４）の構造特有に予め定められた縦方向プロフィルに対応する差込み手段、挿入手段、スナップ手段または係止手段として構成されている請求項１又は２記載の機構。
【請求項４】
第１固定手段（６）がプロフィル部品（４）を、特にプロフィル部品（４）として設けられた冷却体の冷却フィンをクランプ状に嵌め合い結合して掴むように形成されている請求項１乃至３の１つに記載の機構。
【請求項５】
プロフィル部品（４）が結合要素（３）の縦方向に動かされると差込み手段、挿入手段、スナップ手段または係止手段によって案内されてその組立終端位置に固定可能であるように、結合要素（３）に少なくとも１つの係止部（１２ａ，１２ｂ）または少なくとも１つのストッパ（１３）が備えられている請求項１乃至４の１つに記載の機構。
【請求項６】
結合要素（３）が支持レール（５）に通じる連続面を有している請求項１乃至５の１つに記載の機構。
【請求項７】
固定手段（６，７）が結合要素（３）に一体に成形されている請求項１乃至６の１つに記載の機構。
【請求項８】
結合要素（３）がプラスチック成形品、特にプラスチック射出成形品として構成されている請求項１乃至７の１つに記載の機構。
【請求項９】
プロフィル部品（４）を支持レール（５）に固定するために、
第１固定手段（６）および第２固定手段（７）を有するアダプタ状の独立の結合要素（３）を備え、
プロフィル部品（４）が第１固定手段（６）に結合され、支持レール（５）が第２固定手段（７）に結合されている
プロフィル部品を支持レールに固定する装置。
【請求項１０】
結合要素（３）が支持レール（５）またはプロフィル部品（４）の構造特有に予め定められた縦方向プロフィルに対してほぼ横方向に取付けられている請求項９記載の装置。
【請求項１１】
プロフィル部品（４）が、特に電気部品（１１）を冷却するために結合要素（３）に対して横方向に延在する冷却フィンを有する冷却体として構成されている請求項９又は１０に記載の装置。
【請求項１２】
冷却体および電気部品（１１）が１つの組立構造ユニットにまとめられている請求項１１記載の装置。
【発明の詳細な説明】
【技術分野】
【０００１】
本発明は、請求項１または９に記載されたプロフィル部品（形材）を支持レールに固定する機構および装置に関する。
【０００２】
ドイツ国実用新案登録第２９５０６５７９号明細書により公知である、電気器具を支持レールに固定する装置においては、電気器具がばね圧を加えられている係止固定手段を備えた基台を有し、その係止固定手段によって電気器具が支持レールの予め定められたプロフィル（形状）にスナップ結合され、場合によってはそこから取外される。
【０００３】
本発明の課題は、簡単かつ安価に構成し得る、プロフィル部品を支持レールに固定する機構および装置を提供することである。
【０００４】
プロフィル部品を支持レールに固定する機構に関する課題は本発明により請求項１に記載の構成要件によって解決される。
【０００５】
プロフィル部品を支持レールに固定する装置に関する課題は本発明により請求項９に記載の構成要件によって解決される。
【０００６】
プロフィル部品を支持レールに固定する機構および装置の他の好ましい構成は請求項２乃至８および請求項１０乃至１２に記載されている。
【０００７】
プロフィル部品を支持レールに固定する機構は、結合すべき構造部品（すなわちプロフィル部品および支持レール）の予め定められた輪郭によって固定のために変更を要することなしに利用できる特に適合性ある固定手段を備えた単独の従って簡単かつ安価に製造し得る結合要素として用いられる。
【０００８】
第１固定手段が結合要素の第１側に取付けられ、第２固定手段が結合要素の第１側とは反対の第２側に取付けられていると有利である。その場合、一方のプロフィル部品と他方の支持レールとの間の結合部として配置される結合要素によってのみ支持レールおよびプロフィル部品への結合を特に簡単に作ることができる。
【０００９】
固定手段が、支持レールまたはプロフィル部品の構造特有に予め定められた縦方向プロフィルに対応する差込み手段、挿入手段、スナップ手段または係止手段として構成される。そうすることによって、支持レール及び／又はプロフィル部品のプロフィル（形状）が変更なしに受入れられるにも拘わらず、構造部品（すなわちプロフィル部品および支持レール）の結合時の取扱い性に関して高いフレキシビリティが与えられる。
【００１０】
第１固定手段がプロフィル部品を、特にプロフィル部品として設けられた冷却体の冷却フィンをクランプ状に嵌め合い結合して掴むように形成されていると有利である。こうすることによって、押出し加工法により、もっぱら押出し方向に与えられた形状および輪郭を有するフロフィル部材を、整合性に関する変更の必要性なしに、支持レールに結合することが同様に可能になる。
【００１１】
特に有利な構成においては、プロフィル部品が結合要素の縦方向に動かされると差込み手段、挿入手段、スナップ手段または係止手段によって案内されてその組立終端位置に固定可能であるように、結合要素に少なくとも１つの係止部または少なくとも１つのストッパが備えられている。その場合、プロフィル部品自体は、結合要素の位置および作用する重力に基づいて自然に外れない限り、ロックされ、位置固定され、または保持される。
【００１２】
結合要素が支持レールに通じる連続面を有していると好ましい。それにより、一方では保証すべき絶縁を与え、他方では直接の導電結合を回避することができる。
【００１３】
固定手段が結合要素に一体に成形されていると好ましい。そのような固定手段は例えば押出し加工技術によって作ることができる。それによって製造手段を大幅に節約し、または多分割型の固定手段に要する構造部品数の減少を達成することができる。
【００１４】
プロフィル部品を支持レールに固定する装置は、特にそれにより生ずる空間的相互関係によって、結合すべき構造部品（すなわちプロフィル部品および支持レール）の与えられた輪郭に従って固定のために変更なしに利用可能に作られる簡単かつ安価な結合ユニットとして用いられる。
【００１５】
結合要素が支持レールまたはプロフィル部品の構造特有に予め定められた縦方向プロフィルに対して横方向に取付けられていると有利である。それにより、幅狭に構成されたプロフィル部品があまり場所をとらずに互いに整列され、結合部として簡単に組立てられる。
【００１６】
好ましい構成においては、プロフィル部品が特に電気部品を冷却するために結合要素に対して横方向に延在する冷却フィンを有する冷却体として構成される。それにより、定められた形状の冷却体を結合要素と容易に一緒にまとめて利用することが簡単に可能になる。
【００１７】
冷却体および電気部品が１つの組立構造ユニットにまとられると有利である。それにより電気器具を固定するための専用の機構を省略することができ、器具で発生した熱を、冷却体を介して効果的に放出することができる。
【００１８】
次に本発明および従属請求項に記載の特徴による好ましい構成について図面を参照し、そこに示されている実施例について詳細に説明する。
【００１９】
図１は結合要素および係止部によってプロフィル部品を支持レールに固定する機構および装置の第１の実施例を示す斜視図、
図２は図１の機構および装置の平面図、
図３は図１の機構および装置の他の構成例を示す平面図、
図４は図１の機構および装置の第２の実施例を示す斜視図、
図５は図１の機構および装置における係止部の他の構成例を示す斜視図である
以下の記載において各図の同一部分は同一符号を用いて示す。
【００２０】
図１には、プロフィル部品（形材）４を支持レール５に固定するアダプタ状の独立の結合要素３を備えた機構１および装置２が示されている。結合要素３は、プロフィル部品４に結合される第１固定手段６と、支持レール５に結合される第２固定手段７とを備えている。第１固定手段６は結合要素３の第１側８に取付けられ、第２固定手段７は結合要素３の第１側８とは反対の第２側９に取付けられている。結合要素３は支持レール５ないしはプロフィル部品４の構造特有に予め定められた縦方向プロフィルに対してほぼ横方向に取付けられている。
【００２１】
結合要素３にはさらに固定手段６，７が一体に成形されている。それに従い、プロフィル部品４への結合も支持レール５への結合も、特にプラスチックからなる１つの結合要素のみによって作られる。その場合、好ましいことに特別な組立技術または固定技術は不要であり、その結果、高い自動化度つまりは良好な結合要素を得ることができる。
【００２２】
一般に結合要素３およびその固定手段６，７は固定すべき構造部品（すなわちプロフィル部品４および支持レール５）の形状および輪郭に整合させられる。差込み手段、挿入手段、スナップ手段または係止手段の形でその際に生じる複雑な固定手段６，７はプラスチック成形品、特にプラスチック射出成形品として容易に作ることができる。それは従来、プロフィル部品４では特にその冷却体としての機能が可能ではなかった。
【００２３】
さらに結合要素３が、またはその代替として固定手段６，７の一方が、少なくとも第１係止部１２ａもしくは１つ又は複数のストッパ１３を備えている。第１係止部１２ａは結合要素３の挿入側に弾性をもって組み込まれ、その係合終端部によってプロフィル部品をそこに取付けることができるようにしている。場合によっては２つの第１係止部１２ａは１つにしてもよい。ストッパ１３は結合要素３の終端側に固定され、または取外し自在に取付けられる。第１係止部１２ａ及び／又はストッパ１３は、プロフィル部品４が結合要素３の縦方向に動かされると差込み手段、挿入手段、スナップ手段または係止手段によって導かれてその組立位置に固定されるように、構成されかつ位置決めされている。それによりプロフィル部品４の滑落を効果的に防止することができる。
【００２４】
プロフィル部品４は、特に電気部品１１を冷却するために結合要素３に対して横方向に延在する冷却フィン１０を有する冷却体として構成されている。その場合、多くは押出し加工法で作られた冷却体に押出し方向に形成された形状および輪郭を、変更なしに固定のために利用できると有利である。場合によっては、冷却フィン１０の寸法を結合要素３に合わせ、その成形幅を結合要素３の各構造幅に関して減少させることができる。
【００２５】
さらに、好ましい構成において、冷却体および電気部品１１は１つの組立構造ユニットにまとめられる。このユニットは差込み式または挿入式または同様に実施することができる。結合要素３は種々の構造幅、特に１７．５ｍｍ、２２．５ｍｍ、４５ｍｍの構造幅に、特に電気部品１１の構造幅以下に相当する構造幅に構成するのがよい。
【００２６】
電気部品１１は、電磁接触器、半導体リレー、抵抗性負荷、直列組込み機器、パワーエレクトロニクス部品、または類似の電気部品ないしは電気器具である。それによる利点は、電気器具及び／又はプロフィル部品を支持レールに固定するために、場合によっては必要な金属及び／又はプラスチックからなる補助部品、従って例えばねじ止めまたはかしめ止めのような付随する結合作業を省略することができることにある。これにより、関連する作業過程および製造コストを低減することができる。
【００２７】
支持レール５はそれに結合された結合要素３を例えば配電盤の取付け板に固定するための結合仲介物として用いられる。その場合、種々の形状の支持レールを用いることができる。
【００２８】
図２には、図１のプロフィル部品を支持レールに固定する機構１および装置２が平面図で示されている。プロフィル部品を支持レールに固定する機構１および装置２は一方の支持レール５と他方のプロフィル部品４とを互いに結合し、それらの空間的な相互関係を構成している。結合要素３に属する第１固定手段６は支持レール５またはプロフィル部品４の構造特有に予め定められた縦方向プロフィルに対応する差込み手段、挿入手段、スナップ手段または係止手段として構成されている。
【００２９】
さらに第１固定手段６は、プロフィル部品４を、特にプロフィル部品４として設けられた冷却体の冷却フィン１０をクランプ状に嵌め合い結合して掴むように側方ガイド１４を有している。好ましくはプロフィル部品４と結合要素３との間の結合過程の際、差込み過程、挿入過程、スナップ過程または係止過程を可能にしかつ容易にするように、少なくとも１つの面取り部１５及び／又は壁厚減少部１６が形成される。
【００３０】
図３には、図１のプロフィル部品を支持レールに固定する機構１および装置２の他の構成例が平面図で示されている。ここでは、プロフィル部品４が、第１固定手段６をクランプ状に嵌め合い結合して掴むように側方ガイド１４を有している。この構成例においても、プロフィル部品４と結合要素３との間の結合過程の際、少なくとも１つの面取り部１５及び／又は薄壁１７が良好に作用して、差込み過程、挿入過程、スナップ過程または係止過程を可能にしかつ容易にする。
【００３１】
図４には図１のプロフィル部品を支持レールに固定する機構１および装置２の第２の構成例が平面図で示されている。ここでは、結合要素３は、第２固定手段７の代りに従来のねじやリベット等によって支持レール５との結合に用いられる少なくとも１つの固定用開口１８を有している。第２固定手段７自体は、支持レール５を１つの側面で受入れて案内する溝１９を第１部位に有している。
【００３２】
さらに第２固定手段７は第１部位とは反対側の第２部位に、結合要素３に係止されたばね２１を有する係止機構２０を一体に設け、それにより支持レール５へのスナップ装着を可能にしている。このようにして第２固定手段７は差込み手段、挿入手段、スナップ手段または係止手段として作用し、結合要素３、プロフィル部品４および電気部品１１の１つまたは２つもしくは３つを支持レール５に固定することができる。
【００３３】
結合要素３は導電結合または部分絶縁を回避するように支持レール５に通じる連続面を有している。
【００３４】
図４および図５には、図１のプロフィル部品を支持レールに固定する機構１および装置２における第１係止部１２ａの他の構成例として、第２係止部１２ｂが斜視図として示されている。この第２係止部１２ｂは対応する空所２２を通して冷却体として作用するプロフィル部品４の冷却フィン１０に嵌り込み、これをその組立終端位置に固定する。
【図面の簡単な説明】
【００３５】
【図１】本発明によるプロフィル部品を支持レールに固定する機構および装置の第１の実施例を示す斜視図
【図２】図１の機構および装置の平面図
【図３】図１の機構および装置の他の構成例を示す平面図
【図４】図１の機構および装置の第２の実施例を示す斜視図
【図５】図１の機構および装置における係止部の他の構成例を示す斜視図
【符号の説明】
【００３６】
１  プロフィル部品を支持レールに固定する機構
２  プロフィル部品を支持レールに固定する装置
３  結合要素
４  プロフィル部品
５  支持レール
６  第１固定手段
７  第２固定手段
８  結合要素３の第１側
９  結合要素３の第２側
１０  冷却フィン
１１  電気部品
１２ａ  第１係止部
１２ｂ  第２係止部
１３  ストッパ
１４  側方ガイド
１５  面取り部
１６  壁厚減少部
１７  薄くされた壁
１８  固定用開口
１９  溝
２０  係止機構
２１  ばね
２２  空所
【図１】
2005534161.tif 000003
【図２】
2005534161.tif 000004
【図３】
2005534161.tif 000005
【図４】
2005534161.tif 000006
【図５】
2005534161.tif 000007
【国際調査報告】
2005534161.tif 000008
2005534161.tif 000009
2005534161.tif 000010
2005534161.tif 000011